(57)【特許請求の範囲】
【請求項１】
近距離無線通信機能を有する携帯端末からＷｅｂ端末を経由してネットワーク上のＷｅｂサイトへのアクセスを行うサービス提供システムであって、
ネットワーク上のＷｅｂサイトを提供するサービス提供サーバと、
前記サービス提供サーバとネットワークを通じてＷｅｂプロトコル経由で通信するＷｅｂ端末と、
前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備え、
前記携帯端末は、
前記サービス提供サーバからネットワーク経由で、所定のＷｅｂサイトのＵＲＬ情報が付与された電子メールを受信して、当該電子メールからＵＲＬ情報を分離して保持する手段と、
該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成する手段と、
各コマンドを順次前記Ｗｅｂ端末に送信して、該ＵＲＬ情報に基づくＷｅｂコンテンツの提供を受けるべく前記Ｗｅｂ端末を制御する手段とを有することを特徴とするサービス提供システム。
【請求項２】
前記Ｗｅｂ端末は、
前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信する手段と、
該ＵＲＬ情報に基づくＷｅｂコンテンツの提供を受けるべく、受信した各コマンドを順次実行する手段とを有することを特徴とする、請求項１に記載のサービス提供システム。
【請求項３】
前記サービス提供サーバは、
所定のＷｅｂサイトのＵＲＬ情報を電子メールに付与して、該電子メールを前記携帯端末に送信する手段と、
前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立する手段とを有することを特徴とする、請求項１又は２に記載のサービス提供システム。
【請求項４】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおける携帯端末であって、
前記サービス提供サーバからネットワーク経由で、所定のＷｅｂサイトのＵＲＬ情報が付与された電子メールを受信して、当該電子メールからＵＲＬ情報を分離して保持する手段と、
該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成する手段と、
各コマンドを順次前記Ｗｅｂ端末に送信して、該ＵＲＬ情報に基づくＷｅｂコンテンツの提供を受けるべく前記Ｗｅｂ端末を制御する手段と、
を備えることを特徴とする携帯端末。
【請求項５】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるＷｅｂ端末であって、
前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信する手段と、
該URL情報に基づくＷｅｂコンテンツの提供を受けるべく、受信した各コマンドを順次実行する手段とを有することを特徴とする、Ｗｅｂ端末。
【請求項６】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるサービス提供サーバであって、
所定のＷｅｂサイトのＵＲＬ情報を電子メールに付与して、該電子メールを前記携帯端末に送信する手段と、
前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立する手段と、
を備えることを特徴とする、サービス提供サーバ。
【請求項７】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるサービス提供サーバにおけるサービス提供方法であって、
前記携帯端末の処理手順は、
前記サービス提供サーバからネットワーク経由で、所定のＷｅｂサイトのＵＲＬ情報が付与された電子メールを受信して、当該電子メールからＵＲＬ情報を分離して保持するステップと、
該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成するステップと、
各コマンドを順次前記Ｗｅｂ端末に送信して、該ＵＲＬ情報に基づくＷｅｂコンテンツの提供を受けるべく前記Ｗｅｂ端末を制御するステップとを含み、
前記Ｗｅｂ端末の処理手順は、
前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信するステップと、
該ＵＲＬ情報に基づくＷｅｂコンテンツの提供を受けるべく、受信した各コマンドを順次実行するステップとを含み、
前記サービス提供サーバの処理手順は、
所定のＷｅｂサイトのＵＲＬ情報を電子メールに付与して、該電子メールを前記携帯端末に送信するステップと、
前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立するステップとを含む、ことを特徴とするサービス提供方法。
【請求項８】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおける携帯端末として構成するコンピュータに、
前記サービス提供サーバからネットワーク経由で、所定のＷｅｂサイトのＵＲＬ情報が付与された電子メールを受信して、当該電子メールからＵＲＬ情報を分離して保持するステップと、
該ＵＲＬ情報に関連付けられた内部データとして、予め登録された前記Web端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成するステップと、
各コマンドを順次前記Ｗｅｂ端末に送信して、該ＵＲＬ情報に基づくＷｅｂコンテンツの提供を受けるべく前記Ｗｅｂ端末を制御するステップと、
を実行させるためのプログラム。
【請求項９】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるＷｅｂ端末として構成するコンピュータに、
前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信するステップと、
該ＵＲＬ情報に基づくＷｅｂコンテンツの提供を受けるべく、受信した各コマンドを順次実行するステップと、
を実行させるためのプログラム。
【請求項１０】
ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるサービス提供サーバとして構成するコンピュータに、
所定のＷｅｂサイトのＵＲＬ情報を電子メールに付与して、該電子メールを前記携帯端末に送信するステップと、
前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立するステップと、
を実行させるためのプログラム。
【発明の詳細な説明】
【技術分野】
【０００１】
本発明は、携帯端末（例えば、携帯電話機機）とＷｅｂ端末（例えば、デジタルテレビ端末）の赤外線による通信機能を利用して、ネットワーク上のサービス提供サーバが提供するＷｅｂサイトに容易にアクセスできるようにする、サービス提供システム、携帯端末、Ｗｅｂ端末、サービス提供サーバ、サービス提供方法、及びこれらのプログラムに関する。
【背景技術】
【０００２】
携帯端末（例えば、携帯電話機機）とＷｅｂ端末（例えば、デジタルテレビ端末）を利用して、ネットワーク上のサービス提供サーバが提供するＷｅｂサイトにアクセスすることができる。
【０００３】
利用者は、サービス提供サーバからの携帯端末へのメールを受信後、Ｗｅｂ端末の起動及びＷｅｂ端末上のブラウザの起動を行い、メールに含まれるＵＲＬを見ながら、そのＵＲＬをＷｅｂ端末のリモコン等に対して手入力し、サービス提供サーバにアクセスする必要があった。但し、メールに含まれるＵＲＬが静的なものであれば、ブラウザのブックマークからサービス提供サーバのＵＲＬを選択し、サービス提供サーバにアクセスすることも可能である。しかし、この方法では、ＵＲＬの手入力による入力ミスや、ブラウザ起動やブックマークからのＵＲＬ選択の手間がかかるという課題が存在する。
【先行技術文献】
【非特許文献】
【０００４】
【非特許文献１】“REGZA インターネット機能アップグレードについて”、東芝、［online]、［２０１０年３月１日検索］、インターネット〈http://www.toshiba.co.jp/regza/internet/index_j.htm〉
【発明の概要】
【発明が解決しようとする課題】
【０００５】
ＨＴＴＰ等の通信を利用したコンテンツのサービスにおいて、サービス提供サーバから利用者の携帯端末に送信されたメールに含まれるＵＲＬ情報をもとに、利用者が、携帯端末とは異なるデジタルテレビ端末等のＷｅｂ端末からサービス提供サーバに、手間を掛けずに容易にアクセスすることを実現することが望まれる。
【０００６】
本発明の目的は、サービス提供サーバから利用者の携帯端末に送信されたメールに含まれるＵＲＬ情報をもとに、利用者が、携帯端末とは異なるデジタルテレビ端末等のＷｅｂ端末からサービス提供サーバに、手間を掛けずに容易にアクセス可能とする、サービス提供システム、携帯端末、Ｗｅｂ端末、サービス提供サーバ、サービス提供方法、及びこれらのプログラムを提供することにある。
【課題を解決するための手段】
【０００７】
携帯電話機のメーラ（電子メール送受信部）とアプリケーション（iアプリ等）を連携させることにより、携帯端末の赤外線通信機能等の通信機能（赤外線送受信部）を利用し、携帯端末がＷｅｂ端末に対し、Ｗｅｂ端末の起動、ブラウザの起動、受信メールに含まれるＵＲＬの通知、及びそのＵＲＬへのページ遷移等の命令を送信する。
【０００８】
即ち、本発明のサービス提供システムは、近距離無線通信（例えば、赤外線通信やブルートゥース等）機能を有する携帯端末からＷｅｂ端末を経由してネットワーク上のＷｅｂサイトへのアクセスを行うサービス提供システムであって、ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備え、前記携帯端末は、前記サービス提供サーバからネットワーク経由で、所定のＷｅｂサイトのＵＲＬ情報が付与された電子メールを受信して、当該電子メールからURL情報を分離して保持する手段と、該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成する手段と、各コマンドを順次前記Ｗｅｂ端末に送信して、該URL情報に基づくＷｅｂコンテンツの提供を受けるべく前記Ｗｅｂ端末を制御する手段とを有することを特徴とする。
【０００９】
また、本発明のサービス提供システムにおいて、前記Ｗｅｂ端末は、前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信する手段と、該ＵＲＬ情報に基づくＷｅｂコンテンツの提供を受けるべく、受信した各コマンドを順次実行する手段とを有することを特徴とする。
【００１０】
また、本発明のサービス提供システムにおいて、前記サービス提供サーバは、所定のＷｅｂサイトのＵＲＬ情報を電子メールに付与して、該電子メールを前記携帯端末に送信する手段と、前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立する手段とを有することを特徴とする。
【００１１】
更に、本発明の携帯端末は、携帯端末自体に特有の特徴を有し、ネットワーク上のＷｅｂサイトを提供するサービス提供サーバと、前記サービス提供サーバとネットワークを通じてＷｅｂプロトコル経由で通信するＷｅｂ端末と、前記サービス提供サーバからURL情報を取得するとともに、該ＵＲＬ情報に基づくＷｅｂコンテンツの提供を受けるべく、該URL情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおける携帯端末であって、前記サービス提供サーバからネットワーク経由で、所定のＷｅｂサイトのＵＲＬ情報が付与された電子メールを受信して、当該電子メールからＵＲＬ情報を分離して保持する手段と、該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成する手段と、各コマンドを順次前記Ｗｅｂ端末に送信して、該ＵＲＬ情報に基づくＷｅｂコンテンツの提供を受けるべく前記Ｗｅｂ端末を制御する手段と、を備えることを特徴とする。
【００１２】
更に、本発明のＷｅｂ端末は、Ｗｅｂ端末自体に特有の特徴を有し、ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるＷｅｂ端末であって、前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信する手段と、該ＵＲＬ情報に基づくＷｅｂコンテンツの提供を受けるべく、受信した各コマンドを順次実行する手段とを有することを特徴とする。
【００１３】
更に、本発明のサービス提供サーバは、サービス提供サーバ自体に特有の特徴を有し、ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるサービス提供サーバであって、所定のＷｅｂサイトのＵＲＬ情報を電子メールに付与して、該電子メールを前記携帯端末に送信する手段と、前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立する手段と、を備えることを特徴とする。
【００１４】
更に、本発明のサービス提供方法は、ネットワーク上のＷｅｂサイトを提供するサービス提供サーバと、前記サービス提供サーバとネットワークを通じてＷｅｂプロトコル経由で通信するＷｅｂ端末と、前記サービス提供サーバからＵＲＬ情報を取得するとともに、該ＵＲＬ情報に基づくＷｅｂコンテンツの提供を受けるべく、該ＵＲＬ情報に関連付けられた内部データを近距離無線通信機能で前記Ｗｅｂ端末に指示する携帯端末とを備える、近距離無線通信機能を有する携帯端末からＷｅｂ端末を経由してネットワーク上のＷｅｂサイトへのアクセスを行うサービス提供システムにおけるサービス提供サーバにおけるサービス提供方法であって、前記携帯端末の処理手順は、前記サービス提供サーバからネットワーク経由で、所定のＷｅｂサイトのＵＲＬ情報が付与された電子メールを受信して、当該電子メールからＵＲＬ情報を分離して保持するステップと、該ＵＲＬ情報に関連付けられた内部データとして、予め登録された前記Ｗｅｂ端末の起動を指示する端末起動指示のコマンド、前記Ｗｅｂ端末のＷｅｂブラウザの起動を指示するブラウザ起動指示のコマンド、及び前記Ｗｅｂ端末経由でＷｅｂコンテンツのＵＲＬ通知及びページ遷移を行うよう指示するＵＲＬ通知及びページ遷移指示のコマンドを生成するステップと、各コマンドを順次前記Ｗｅｂ端末に送信して、該ＵＲＬ情報に基づくＷｅｂコンテンツの提供を受けるべく前記Ｗｅｂ端末を制御するステップとを含み、前記Ｗｅｂ端末の処理手順は、前記携帯端末からの当該Ｗｅｂ端末の起動を指示する端末起動指示のコマンド、当該Ｗｅｂ端末のＷｅｂブラウザの起動を指示するブラウザ起動指示のコマンド、及び当該Ｗｅｂ端末経由でＷｅｂコンテンツのＵＲＬ通知及びページ遷移を行うよう指示するＵＲＬ通知及びページ遷移指示のコマンドを受信するステップと、該ＵＲＬ情報に基づくＷｅｂコンテンツの提供を受けるべく、受信した各コマンドを順次実行するステップとを含み、前記サービス提供サーバの処理手順は、所定のＷｅｂサイトのＵＲＬ情報を電子メールに付与して、該電子メールを前記携帯端末に送信するステップと、前記Ｗｅｂ端末が近距離無線通信で携帯端末から受信した該ＵＲＬ情報に基づくＷｅｂコンテンツの提供の通知を受信し、該当ＵＲＬのＷｅｂページを所定のコンテンツデータベースから選出し、前記Ｗｅｂ端末の表示装置に表示させるべく前記Ｗｅｂ端末とのＷｅｂ通信を確立するステップとを含む、ことを特徴とする。
【００１５】
更に、本発明は、携帯端末、Ｗｅｂ端末、及びサービス提供サーバをそれぞれコンピュータとして構成することができ、各コンピュータに実行させるためのプログラムとして構成される。
【発明の効果】
【００１６】
本発明によれば、利用者は手間を掛けることなく容易に、電子メールで携帯端末に通知されたＵＲＬのページに、Ｗｅｂ端末からアクセスすることが可能となる。
【図面の簡単な説明】
【００１７】
【図１】本発明による一実施例のサービス提供システムの典型例を示す図である。
【図２】本発明による一実施例のサービス提供システムにおける携帯端末の機能ブロック図である。
【図３】本発明による一実施例のサービス提供システムにおけるＷｅｂ端末の機能ブロック図である。
【図４】本発明による一実施例のサービス提供システムにおけるサービス提供サーバの機能ブロック図である。
【図５】本発明による一実施例のサービス提供システムにおける動作フロー図である。
【発明を実施するための形態】
【００１８】
以下、携帯端末の近距離無線通信機能を使用した、本発明による一実施例のサービス提供システムを説明する。本発明に係る携帯端末、Ｗｅｂ端末、サービス提供サーバ及びこれらのプログラム、並びに、本発明に係るＷｅｂ認証方法は、本発明による一実施例のサービス提供システムの説明から明らかになる。
【００１９】
〔システム構成〕
図１は、本発明による一実施例のサービス提供システムの典型例を示す図である。本実施例のサービス提供システム１は、利用者は手間を掛けることなく容易に、メールで携帯電話機に通知されたＵＲＬのページに、Ｗｅｂ端末からアクセスする方式を実現する。本実施例のサービス提供システム１では、ネットワークを通じて電子メールを送受信できる機能（後述するＷｅｂ通信部）と内部データを赤外線通信機能で送信する機能（後述する赤外線送信部）をもった携帯端末１１と、赤外線通信による情報受信機能（後述する赤外線受信部）と、ネットワークのＷｅｂサービスを表示する機能（後述するＷｅｂ通信部）を有するＷｅｂ端末１２と、Ｗｅｂサイトのサービスを提供するサービス提供サーバ１３から構成され、Ｗｅｂ端末１２とサービス提供サーバ１３はインターネットなどネットワーク経由で接続される。
【００２０】
添付ファイル付き電子メールを受信する機能と内部データを赤外線で送信する機能は、多くの携帯端末１１（例えば、携帯電話機機）で装備されており、リモコンのために赤外線を受信する機能は、多くのデジタルテレビ端末等のＷｅｂ端末１２に装備されているため、ハードウェアの追加なしで、ファームウェアの変更のみで本実施例のサービス提供システム１を実現可能である。従って、本技術の特徴として、特別な機器を利用する必要がない点が挙げられる。
【００２１】
以下、より具体的に、携帯端末１１、Ｗｅｂ端末１２、及びサービス提供サーバ１３の構成について説明する。
【００２２】
図２に、本発明による一実施例のサービス提供システムにおける携帯端末１１の機能ブロック図を示す。携帯端末１１は、メールの送受信機能を持つメーラ、アプリケーション（iアプリ等）の実行環境、及び赤外線通信機能を持つ端末であり、具体的には、制御部１１１と、サービス提供サーバ１３からの電子メールの受信を含むサービス提供サーバ１３に対してＷｅｂ通信を行うインターフェースを構成するWeb通信部１１２と、Ｗｅｂ端末１２に対して内部データを送信するインターフェースを構成する赤外線送信部１１３と、ユーザＩ／Ｆを介して利用者の要求を処理するユーザＩ／Ｆ処理部１１４と、利用するＷｅｂ端末を予め登録しておくＷｅｂ端末種別データベース１１５と、記憶部１１６とを備える。制御部１１１は、赤外線送信制御部１１１１と、電子メール送受信部１１１２と、アプリケーション実行部１１１３と、赤外線送信用データ生成部１１１４、Web端末種別設定部１１１５とを備える。尚、本発明に係る制御部１１１の各機能を説明するが、携帯端末１１が備える他の機能を排除することを意図したものではないことに留意する。携帯端末１１は、コンピュータとして構成することができ、制御部１１１の各機能を実現する処理内容を記述したプログラム（アプリケーション）を、当該コンピュータの記憶部１１６に格納しておき、当該コンピュータの中央演算処理装置（ＣＰＵ）によってこのプログラムを読み出して実行させることで実現することができる。
【００２３】
赤外線送信制御部１１１１は、内部データをＷｅｂ端末１２に送信するために、Ｗｅｂ端末１２に対して赤外線通信を行う機能を有する。
【００２４】
電子メール送受信部１１１２は、サービス提供サーバ１３から電子メールを受信する機能を有する。
【００２５】
アプリケーション実行部１１１３は、携帯端末１１の各機能を実行するためのアプリケーションを起動させる機能を有する。
【００２６】
赤外線送信用データ生成部１１１４は、Ｗｅｂ端末１２の起動や、Ｗｅｂ端末１２経由で送信するＵＲＬ情報を赤外線通信用のデータに変換して生成する機能を有する。
【００２７】
赤外線送信用データ生成部１１１４は、Ｗｅｂ端末１２の起動や、Ｗｅｂ端末１２経由で送信するURL情報を赤外線通信用のデータに変換して生成する機能を有する。特に、赤外線送信用データ生成部１１１４は、受信したURL情報に関連付けられた内部データとして、予め登録されたＷｅｂ端末１２の起動を指示する端末起動指示のコマンド、Ｗｅｂ端末１２のＷｅｂブラウザの起動を指示するブラウザ起動指示のコマンド、及びＷｅｂ端末１２経由でＷｅｂコンテンツのＵＲＬ通知及びページ遷移を行うよう指示するＵＲＬ通知及びページ遷移指示のコマンドを生成する機能を有する。
【００２８】
Web端末種別設定部１１１５は、利用するＷｅｂ端末を予め登録しておくＷｅｂ端末種別データベース１１５から、起動やＷｅｂ表示を行うＷｅｂ端末１２を選定して設定する機能を有する。
【００２９】
図３に、本発明による一実施例のサービス提供システムにおけるＷｅｂ端末１２の機能ブロック図を示す。Ｗｅｂ端末１２は、サービス提供サーバ１３からコンテンツのサービスを受けるために、Ｗｅｂブラウザ、及び赤外線通信機能を持つ端末であり、具体的は、制御部１２１と、サービス提供サーバ１３に対してＷｅｂ通信を行うインターフェースを構成するＷｅｂ通信部１２２と、携帯端末１１からの赤外線通信のデータを受信するインターフェースを構成する赤外線受信部１２３と、表示装置１２ａに対するインターフェースを構成する表示制御部１２４と、記憶部１２５とを備える。表示装置１２ａは、Ｗｅｂ端末１２に組み入れてもよいし、外部装置として接続される装置であってもよい。制御部１２１は、Ｗｅｂプロトコル処理部１２１１と、赤外線受信制御部１２１２と、Ｗｅｂブラウザ起動制御部１２１３と、Ｗｅｂ表示制御部１２１４とを備える。尚、本発明に係る制御部１２１の各機能を説明するが、Ｗｅｂ端末１２が備える他の機能を排除することを意図したものではないことに留意する。Ｗｅｂ端末１２は、コンピュータとして構成することができ、制御部１２１の各機能を実現する処理内容を記述したプログラムを、当該コンピュータの記憶部１２５に格納しておき、当該コンピュータの中央演算処理装置（ＣＰＵ）によってこのプログラムを読み出して実行させることで実現することができる。
【００３０】
Ｗｅｂプロトコル処理部１２１１は、サービス提供サーバ１３とのＷｅｂ通信を確立する機能を有する。即ち、Ｗｅｂプロトコル処理部１２１１は、サービス提供サーバ１３に対するアクセス機能として動作し、携帯端末１１から赤外線通信経由で受信したＵＲＬ情報をサービス提供サーバ１３に送信する機能を有する。
【００３１】
赤外線受信制御部１２１２は、携帯端末１１から赤外線通信経由でＷｅｂ端末１２の起動や、Ｗｅｂ端末１２経由で送信するURL情報の内容を受信する機能を有する。
【００３２】
Ｗｅｂブラウザ起動制御部１２１３は、赤外線通信で携帯端末１１から受信したＷｅｂ端末１２の起動の命令に伴い、内蔵するＷｅｂブラウザを起動する機能を有する。
【００３３】
Ｗｅｂ表示制御部１２１４は、サービス提供サーバ１３によって提供される該当ＵＲＬのＷｅｂページを表示装置１２ａに表示させる機能を有する。
【００３４】
図４に、本発明による一実施例のサービス提供システムにおけるサービス提供サーバ１３の機能ブロック図を示す。サービス提供サーバ１３は、コンテンツを提供するサーバであり、制御部１３１と、Ｗｅｂ端末１２に対してＷｅｂ通信を行うインターフェースを構成するＷｅｂ通信部１３２と、各ＵＲＬのＷｅｂページの情報を保持するコンテンツデータベース１３３と、記憶部１３４とを備える。制御部１３１は、Ｗｅｂプロトコル処理部１３１１と、電子メール送受信部１３１２と、ＵＲＬ追加処理部１３１４と、Ｗｅｂページ制御部１３１６とを備える。尚、本発明に係る制御部１３１の各機能を説明するが、サービス提供サーバ１３が備える他の機能を排除することを意図したものではないことに留意する。サービス提供サーバ１３は、コンピュータとして構成することができ、制御部１３１の各機能を実現する処理内容を記述したプログラムを、当該コンピュータの記憶部１３４に格納しておき、当該コンピュータの中央演算処理装置（ＣＰＵ）によってこのプログラムを読み出して実行させることで実現することができる。
【００３５】
Ｗｅｂプロトコル処理部１３１１は、携帯端末１１及びＷｅｂ端末１２とのＷｅｂ通信を確立する機能を有する。
【００３６】
電子メール送受信部１３１２は、予め登録された利用者の携帯端末１１のメールアドレスに、URL情報を電子メールで送信する機能を有する。
【００３７】
ＵＲＬ追加処理部１３１４は、利用者に表示させたいＵＲＬ情報を電子メールに追加する機能を有する。
【００３８】
Ｗｅｂページ制御部１３１６は、利用者から要求される該当ＵＲＬのＷｅｂページをコンテンツデータベース１３３から選出する機能を有する。
【００３９】
以下、本発明による一実施例のサービス提供システムの動作を説明する。
【００４０】
〔システム動作〕
サービス提供サーバ１３は、Ｗｅｂプロトコル処理部１２１１の機能により電子メールを生成して、ＵＲＬ追加処理部１３１４の機能によりＵＲＬ情報を電子メールに付加し（ステップＳ１，Ｓ２）、Ｗｅｂプロトコル処理部１２１１の機能により利用者の携帯端末１１に対し、アクセス先のＵＲＬを含むメールを送信する（ステップＳ３）。
【００４１】
携帯端末１１は、電子メール送受信部１１１２によって、サービス提供サーバ１３から電子メールを受信する（ステップＳ４）。利用者は、携帯端末１１に対し、ユーザＩ／Ｆを介して、受信した電子メール内のＵＲＬ表示部分のクリック等の操作を行い、電子メール送受信部１１１２によってアプリケーション実行部１１１３に指示して、アプリケーション実行部１１１３によってアプリケーションを起動し、アプリケーションの機能によってＵＲＬ情報の分離及び保持を行う（ステップＳ５，Ｓ６）。
【００４２】
携帯端末１１は、アプリケーションによって機能するＷｅｂ端末種別設定部１１１５によって、Ｗｅｂ端末種別データベース１１５から、利用するＷｅｂ端末１２の種別を読み出し、保持する（ステップＳ７）。
【００４３】
携帯端末１１は、赤外線通信制御部１１１１によって、赤外線通信を利用し、Ｗｅｂ端末１２に対する端末起動指示（Ｗｅｂ端末種別に応じたコマンド）を送信する（ステップＳ８）。
【００４４】
Ｗｅｂ端末１２は、この端末起動指示を受信し、端末起動を行う（ステップＳ９）。
【００４５】
携帯端末１１は、赤外線通信制御部１１１１によって、赤外線通信を利用し、Ｗｅｂ端末１２に対するブラウザ起動指示（Ｗｅｂ端末種別に応じたコマンド）を送信する（ステップＳ１０）。
【００４６】
Ｗｅｂ端末１２は、このブラウザ起動指示を受信し、ブラウザ起動を行う（ステップＳ１１）。
【００４７】
携帯端末１１は、赤外線通信制御部１１１１によって、赤外線通信を利用し、Ｗｅｂ端末１２に対するＵＲＬ通知及びページ遷移指示（Ｗｅｂ端末種別に応じたコマンド）を送信する（ステップＳ１２）。
【００４８】
Ｗｅｂ端末１２は、ＵＲＬ通知及びページ遷移指示を受信し、通知されたＵＲＬへのページ遷移をサービス提供サーバ１３に指示する（ステップＳ１３）。
【００４９】
サービス提供サーバ１３は、Ｗｅｂページ制御部１３１６によって、ＵＲＬ通知及びページ遷移指示に従う該当ＵＲＬのＷｅｂページのコンテンツをコンテンツデータベース１３３から読み出して、Ｗｅｂプロトコル処理部１３１１を介してＷｅｂ端末１２に提示する（ステップＳ１４）。
【００５０】
これにより、利用者は手間を掛けることなく容易に、電子メールで携帯端末１１に通知されたＵＲＬのページに、Ｗｅｂ端末からアクセスしてコンテンツの提供を受けることが可能となる（ステップＳ１５）。
【００５１】
尚、Ｗｅｂ端末種別に応じたコマンド体系については、アプリケーションがあらかじめ内部に保持していてもよいし、携帯端末１１の内記憶領域から必要に応じて読み出してもよい。
【００５２】
包括的には、本実施例のサービス提供システム１は、赤外線通信機能を有する携帯端末１１からＷｅｂ端末１２を経由してネットワーク上のＷｅｂサイトへのアクセスを行うサービス提供システムであって、ネットワーク上のＷｅｂサイトを提供するサービス提供サーバ１３と、サービス提供サーバ１３とネットワークを通じてＷｅｂプロトコル経由で通信するＷｅｂ端末１２と、サービス提供サーバ１３からＵＲＬ情報を取得するとともに、該ＵＲＬ情報に基づくＷｅｂコンテンツの提供を受けるべく、該ＵＲＬ情報に関連付けられた内部データを赤外線通信機能でＷｅｂ端末１２に指示する携帯端末１１とを備える。
【００５３】
このサービス提供システム１において、携帯端末１１は、サービス提供サーバ１３からネットワーク経由の電子メールで、所定のＷｅｂサイトのＵＲＬ情報が付与された電子メールを受信して、当該電子メールからＵＲＬ情報を分離して保持する手段と、該ＵＲＬ情報に関連付けられた内部データとして、予め登録されたＷｅｂ端末１２の起動を指示する端末起動指示のコマンド、Ｗｅｂ端末１２のＷｅｂブラウザの起動を指示するブラウザ起動指示のコマンド、及びＷｅｂ端末１２経由でＷｅｂコンテンツのＵＲＬ通知及びページ遷移を行うよう指示するＵＲＬ通知及びページ遷移指示のコマンドを生成する手段と、各コマンドを順次Ｗｅｂ端末１２に送信して、該ＵＲＬ情報に基づくＷｅｂコンテンツの提供を受けるべくＷｅｂ端末１２を制御する手段とを有するように構成される。
【００５４】
また、このサービス提供システム１において、Ｗｅｂ端末１２は、携帯端末１１からのＷｅｂ端末１２の起動を指示する端末起動指示のコマンド、Ｗｅｂ端末１２のＷｅｂブラウザの起動を指示するブラウザ起動指示のコマンド、及びＷｅｂ端末１２経由でＷｅｂコンテンツのＵＲＬ通知及びページ遷移を行うよう指示するＵＲＬ通知及びページ遷移指示のコマンドを受信する手段と、該ＵＲＬ情報に基づくＷｅｂコンテンツの提供を受けるべく、受信した各コマンドを順次実行する手段とを有するように構成される。
【００５５】
また、このサービス提供システム１において、サービス提供サーバ１３は、所定のＷｅｂサイトのＵＲＬ情報を電子メールに付与して、該電子メールを携帯端末１１に送信する手段と、Ｗｅｂ端末１２が赤外線通信で携帯端末１１から受信した該ＵＲＬ情報に基づくＷｅｂコンテンツの提供の通知を受信し、該当ＵＲＬのＷｅｂページを所定のコンテンツデータベース１３３から選出し、Ｗｅｂ端末１２の表示装置１２ａに表示させるべくＷｅｂ端末１２とのＷｅｂ通信を確立する手段とを有するように構成される。
【００５６】
これらの本発明に係る携帯端末１１、Ｗｅｂ端末１２、及びサービス提供サーバ１３をコンピュータで構成した場合、各機能を実現する処理内容を記述したプログラムを、当該コンピュータの内部又は外部の記憶部に格納しておき、当該コンピュータの中央演算処理装置（ＣＰＵ）によってこのプログラムを読み出して実行させることで実現することができる。また、このようなプログラムは、例えばＤＶＤ又はＣＤ−ＲＯＭなどの可搬型記録媒体の販売、譲渡、貸与等により流通させることができるほか、そのようなプログラムを、例えばネットワーク上にあるサーバの記憶部に記憶しておき、ネットワークを介してサーバから他のコンピュータにそのプログラムを転送することにより、流通させることができる。また、そのようなプログラムを実行するコンピュータは、例えば、可搬型記録媒体に記録されたプログラム又はサーバから転送されたプログラムを、一旦、自己の記憶部に記憶することができる。また、このプログラムの別の実施態様として、コンピュータが可搬型記録媒体から直接プログラムを読み取り、そのプログラムに従った処理を実行することとしてもよく、更に、このコンピュータにサーバからプログラムが転送される度に、逐次、受け取ったプログラムに従った処理を実行することとしてもよい。従って、本発明は、前述した実施例に限定されるものではなく、その主旨を逸脱しない範囲において種々変更可能である。例えば、実施例中、携帯端末１１とＷｅｂ端末１２との間で赤外線通信を例に説明したが、本発明は、赤外線通信の代わりにブルートゥースなどの無線通信でもよく、これらの赤外線通信及び無線通信を、包括して近距離無線通信として適用することができる。
【産業上の利用可能性】
【００５７】
本発明によれば、利用者は手間を掛けることなく容易に、電子メールで携帯端末に通知されたＵＲＬのページに、Ｗｅｂ端末からアクセスすることが可能となり、複数の端末を用いてコンテンツ提供を受ける用途に有用である。
【符号の説明】
【００５８】
１１  携帯端末
１２  Ｗｅｂ端末
１２ａ  表示装置
１３  サービス提供サーバ
１１１  制御部
１１２  Ｗｅｂ通信部
１１３  赤外線送信部
１１４  ユーザＩ／Ｆ処理部
１１５  Ｗｅｂ端末種別データベース
１１６  記憶部
１２１  制御部
１２２  Ｗｅｂ通信部
１２３  赤外線受信部
１２４  表示制御部
１２５  記憶部
１３１  制御部
１３２  Ｗｅｂ通信部
１３３  コンテンツデータベース
１３４  記憶部
１１１１  赤外線送信制御部
１１１２  電子メール送受信部
１１１３  アプリケーション実行部
１１１４  赤外線送信用データ生成部
１１１５  Ｗｅｂ端末種別設定部
１２１１  Ｗｅｂプロトコル処理部
１２１２  赤外線受信制御部
１２１３  Ｗｅｂブラウザ起動制御部
１２１４  Ｗｅｂ表示制御部
１３１１  Ｗｅｂプロトコル処理部
１３１２  電子メール送受信部
１３１４  ＵＲＬ追加処理部
１３１６  Ｗｅｂページ制御部
【図１】
0005425670.tif 000002
【図２】
0005425670.tif 000003
【図３】
0005425670.tif 000004
【図４】
0005425670.tif 000005
【図５】
0005425670.tif 000006